(57)【要約】【課題】  本発明の目的は、複数の異なる医薬製剤またはサプリメントを１つの使い捨て容器の中に収容するという課題に対する解決手段を提供することである。【解決手段】  本発明は、医薬組成物またはサプリメント用のブリスター包装に関する。上記目的および他の目的は、本発明の第１の態様において、医薬組成物を保持するための少なくとも２つの穴と、少なくとも２つの穴を覆い、要素を含む少なくとも１つのカバーシートとを含む、医薬組成物のための包装基体を提供することによって達成させられる。【選択図】      図１
2017532172.tif 000002
【特許請求の範囲】
【請求項１】
医薬組成物を収容するための少なくとも２つの穴と、前記少なくとも２つの穴を覆う少なくとも１つのカバーシートとを含み、前記カバーシートは要素を含む、医薬組成物用包装基体。
【請求項２】
１つまたは複数の凹部を含む、請求項１に記載の医薬組成物用包装基体。
【請求項３】
前記カバーシートが前記１つまたは複数の凹部を覆う、請求項１または請求項２に記載の医薬組成物用包装基体。
【請求項４】
前記要素が前記１つまたは複数の凹部を覆う、請求項１から請求項３のいずれかに記載の医薬組成物用包装基体。
【請求項５】
前記凹部が前記包装基体の外縁に設けられる、請求項１から請求項４ののいずれかに記載の医薬組成物用包装基体。
【請求項６】
前記凹部が前記包装基体の２辺以上の外縁に設けられる、請求項１から請求項５のいずれかに記載の医薬組成物用包装基体。
【請求項７】
少なくとも第１部位および第２部位を含み、前記第１および第２部位は、前記第２および第１部位を互いに折り畳み、および／または押しつける際に、相互に係合するように調整され、前記第２部位が前記第１部位に係合されて剛性構造を作り出す、請求項１から請求項６のいずれかに記載の医薬組成物用包装基体。
【請求項８】
前記要素は指先で掴むことが可能な部位を含む、請求項１から請求項７のいずれかに記載の医薬組成物用包装基体。
【請求項９】
前記要素は切断部を含む、請求項１から請求項８のいずれかに記載の医薬組成物用包装基体。
【請求項１０】
前記要素は剥離部を含む、請求項１から請求項９のいずれかに記載の医薬組成物用包装基体。
【請求項１１】
前記要素は断片である、請求項１から請求項１０のいずれかに記載の医薬組成物用包装基体。
【請求項１２】
前記要素が細長い一片である、請求項１から請求項１１のいずれかに記載の医薬組成物用包装基体。
【請求項１３】
前記要素は、より良好に把持可能な突出部を有するフラップである、請求項１から請求項１２のいずれかに記載の医薬組成物用包装基体。
【請求項１４】
前記第１部位および／または第２部位は、少なくとも１つの斜めの外縁を有する、請求項７から請求項１３のいずれかに記載の医薬組成物用包装基体。
【請求項１５】
請求項１から請求項１４のいずれかに記載の医薬組成物用包装基体と、
前記医薬組成物用包装基体を保持するための収容ケースと、を含み、
前記収容ケースは、少なくとも２つの枢動可能に接続された半体を含み、
前記２つの枢動可能に接続された半体のうちの少なくとも１つは、１つまたは複数の窪みを有する側壁を含み、
前記包装基体が前記２つの枢動可能に接続された半体の少なくとも１つに収容されている場合に、前記１つまたは複数の窪みは、前記要素をユーザーの親指と別の指との間で掴むことを可能にする、薬剤容器。
【請求項１６】
前記側壁の１つまたは複数の窪みと、前記包装基体１つまたは複数の凹部とが一致している、請求項１５に記載の薬剤容器。
【請求項１７】
前記包装基体が前記２つの枢動可能に接続された半体の少なくとも１つに収容される場合に、１つまたは複数の前記側壁が前記包装基体の周囲を取り囲む、請求項１５または請求項１６のいずれかに記載の薬剤容器。
【請求項１８】
前記２つの枢動可能に接続された半体の少なくとも１つが包装基体用ホルダーである、請求項１５から請求項１７のいずれかに記載の薬剤容器。
【請求項１９】
前記２つの枢動可能に接続された半体の他方が蓋である、請求項１５から請求項１８のいずれかに記載の薬剤容器。
【請求項２０】
前記２つの枢動可能に接続された半体の少なくとも１つが、第１および第２の端壁を含み、前記第１の端壁が前記第２の端壁に向かって延出する少なくとも１つの突起を含む、請求項１５から請求項１９のいずれかに記載の薬剤容器。
【請求項２１】
前記少なくとも１つの突起は、前記少なくとも１つの斜めの外縁に対して相補的である、請求項１５から請求項２０のいずれかに記載の薬剤容器。
【発明の詳細な説明】
【技術分野】
【０００１】
本発明は、医薬組成物または、栄養補助食品のようなサプリメント用の薬剤容器に関するものである。
【背景技術】
【０００２】
医薬品、薬物または栄養補助食品の服用において、１日１回の服用は、１日複数回の服用よりも、有効のようである。実際に、患者は１日複数回の医師の忠告よりも、１日１回の医師の忠告の方がより容易に従うことができる。
したがって、異なる医薬組成物または栄養補助食品を組み合わせて複数に包装することは、年齢および／または訓練習慣などの個々の特徴に基づく、最適な１日の服用、決められた１日の用量（ＤＤＤ）、または推奨もしくは処方された１日の用量、すなわち１用量を、確実に守るのに役に立つ。
【０００３】
しかしながら、異なる医薬組成物および／またはサプリメントを共通のパッケージに組み合わせることは、異なる組成物および／またはサプリメントに存在する化学化合物間の望ましくない反応、または相互作用を招く可能性があるため、容易ではない。
【０００４】
特に、栄養補助食品の開発下では、製剤中の生物活性物質間の反応により、１つまたは複数の生物活性物質の分解を引き起こすという、重大な問題になり兼ねない。これにより、最終製品中の組成物の組合せおよび／または製品の保存期限が制限される可能性がある。したがって、最終製品中の物質の処方と比率を決定して、良好な安定性を保持するのは、困難である。
【０００５】
一般に、各製剤間が直接的に接触するを避けるために、錠剤／カプセルのそれぞれは、ボトルのような異なる収容ケースに、完全に分けて包装されなければならない。しかしながら、これは消費者にとって利便性に欠ける。
【０００６】
したがって、改良されたブリスター包装が有利であり、１日の用量を守るのを簡便、かつ容易にするブリスター包装が特に有利である。
【先行技術文献】
【特許文献】
【０００７】
【特許文献１】国際公開２０１３−０４１０９８号公報
【発明の概要】
【発明が解決しようとする課題】
【０００８】
本発明の目的は、複数の異なる医薬製剤またはサプリメントを１つの使い捨て容器の中に収容するという課題に対する解決手段を提供することである。
【０００９】
本発明のさらなる目的は、異なる医薬組成物を収容することができ、かつ開封し易い使い捨て容器を提供することである。
【００１０】
本発明のもう１つの目的は、先行技術に対する代替品を提供することである。
【００１１】
本発明の目的は、先行技術の上記の問題点および欠点を、完全または部分的に解決することである。
【００１２】
特に、本発明のさらなる目的は、医薬組成物用包装基体と、包装基体用ホルダーとを含む、新規な包装システムを用いて、先行技術の上述の問題点を解決する使い捨て容器を提供することである。
【課題を解決するための手段】
【００１３】
複数回服用することは、非常に容易である。しかしながら、複数回の服用を間違いなく行うことは、容易では無い。望ましくない破裂や、不適合物質間の接触から、高いレベルで保護されるように維持しながら、保存されたいくつかの物質を複数利用することが、簡便かつ容易な方法で達成可能にされなければならない。
【００１４】
本発明は、上記の物質が複雑で連続的な毎日の治療や、食事療法の一部として摂取される場合に、複数手に取って服用するために、特に貯蔵不和合物質を同時に容易に手に取って投与するのを簡便にする、簡単で効果的な方法として、特に有利であるが、これに限定されるものではない。本発明の利点は、複雑な服用の一部として、処方および非処方物質を同時に容易に手に取り、服用するのを簡便にすることができることである。
【００１５】
上記目的および他の目的は、本発明の第１の態様において、医薬組成物を保持するための少なくとも２つの穴と、少なくとも２つの穴を覆い、要素を含む少なくとも１つのカバーシートとを含む、医薬組成物のための包装基体を提供することによって達成させられる。
【００１６】
いくつかの実施形態において、包装基体は１つまたは複数の凹部を含む。
【００１７】
カバーシートは、１つまたは複数の凹部を覆ってもよい。
【００１８】
要素は、１つまたは複数の凹部を覆ってもよい。いくつかの実施形態において、凹部は包装基体の外縁に設けられる。
【００１９】
いくつかの他の実施形態において、凹部は、包装基体の２辺以上の外縁に設けられる。
【００２０】
したがって、凹部は、包装基体の外縁の少なくとも１辺の形状を決定することができる。
【００２１】
いくつかのさらなる実施形態において、包装基体は、少なくとも第１部位および第２部位を含み、第１部位および第２部位は、互いに折り畳み、および／または押しつける際に、相互に係合するように調整され、第２部位が第１部位に係合されて剛性構造を作り出す。
【００２２】
剛性構造は、本発明において、通常の配達における望ましくない破裂を回避して、輸送中の安全な取り扱いを可能にするために、ある程度の剛性、曲げ難さおよび非可撓性を有する、堅固な特徴を有する構造として定義される。
【００２３】
いくつかの実施形態では、第１および第２部位は、互いに枢動可能に接続される。枢動とは、本発明において、例えば、回転軸により、または回転軸上の移動のような、回転軸方式による接続として定義されており、特定の点、軸または外縁、例えば折り畳みラインのような、回転軸に沿って回転可能なようになっている。第１部位および／または第２部位は、少なくとも１つの斜めの外縁を有していてもよい。
【００２４】
本発明の他の実施形態において、上記の目的および他のいくつかの目的は、医薬組成物用包装基体と、医薬組成物用包装基体を保持するための収容ケースと、を含み、包装基体は、医薬組成物を保持する少なくとも２つの穴を含むとともに、少なくとも２つの穴を覆う少なくとも１つのカバーシートを含み、このカバーシートは要素を含み、収容ケースは少なくとも２つの枢動可能に接続された半体を含み、この２つの枢動可能に接続された半体のうちの少なくとも１つは、１つまたは複数の窪みを有する側壁を含む、薬剤容器を提供することである。１つまたは複数の窪みは、ユーザが要素を利用することを可能にする。したがって、包装基体が２つの枢動可能に接続された半体のうちの少なくとも１つに収容されている場合、１つまたは複数の窪みは、ユーザの親指と別の指との間で要素を掴むことを可能にする。いくつかの実施形態において、包装基体が２つの枢動可能に接続された半体のうちの少なくとも１つに収容される場合に、１つまたは複数の側壁が包装基体を取り囲む。
【００２５】
ユーザの親指と人差し指の間で要素を掴むことを可能にすることにより、カバーシート、またはカバーシートの少なくとも一部を容易に除去することができ、したがってカバーシートによって保護された穴の内容物を容易に利用することが可能となる。要素を指先で掴むとは、親指と親指以外の指で要素をつまむこと、または押すことを意味する。したがって、カバーシート、またはカバーシートの少なくとも一部を指先で掴み、剥離することによって、ブリスターの内容物を手に取ることが可能となる。その場合、要素を指先で掴むとは、親指と親指以外の指で要素をつまんで引っ張ることを意味し、つまり要素を引っ張ってカバーシートの少なくとも一部を取り除くことを意味することとなる。
【００２６】
カバーシートを取り除くことにより、複数の穴を利用することができ、複数の穴を開いて、収容された組成物を複数服用することができる。
【００２７】
包装基体は、２つの枢動可能に接続された半体のうちの少なくとも１つを１８０°折り畳んで重なり合うことで、包装基体の半分が互いの面に重なるようにするようにして形成される。このようにして、穴は、包装基体の上面及び下面に存在する。
【００２８】
いくつかの実施形態において、要素は指先で掴むことが可能な部位を含む。指先で掴むことが可能な部位は、ユーザの親指と親指以外の指の間で挟まれる、または押されることが可能な部位であって、これにより、カバーシートを剥離すること、および除去することが可能になる。
【００２９】
要素は、切断部、剥離部を含んでもよい。いくつかの実施形態において、要素は、断片、細長い一片、またはより良好に把持可能にするための突出部を有するフラップでもよい。
【００３０】
いくつかの実施形態において、パンチング線によって、１つのカバーシートを独立した部分に分離することが可能である。カバーシートおよび／または包装基体に完全にまたは部分的に打ち抜かれたパンチング線によって、カバーシートの残りの部分を所定の位置に残しつつ、カバーシートの一部を除去することが可能となる。個々に挟んで引っ張られることが可能な独立した要素を有する独立した部分を除去することで、カバーシートの一部のみ、つまりカバーシートを部分的に除去するとともに、他の部分をそのまま残すことが可能となり、選択された穴を選択的に利用できるようになる。
【００３１】
いくつかの実施形態において、包装基体は１つまたは複数の凹部を含み、１つまたは複数の側壁の窪みと、１つまたは複数の包装基体の凹部とが、一致している。窪みは、２つの枢動可能に接続された半体のうちの少なくとも１つの側壁のノッチ、切り込み、または凹部である。収容ケースの側壁の窪みと包装基体の凹部とがぴったりと合っていてもよく、これにより、ユーザが要素を指先で掴んでカバーシートを除去して、穴に収容される医薬組成物またはサプリメントを手に取ることが可能な大きさに合わせることができる。収容ケースの側壁の窪みと包装基体凹部の側壁の凹部とは、形状が鏡像となっていてもよく、これにより収容ケースまたは蓋の側壁と、包装基体シートとの間に、中空通路が形成されて、ユーザが要素を指先で掴みカバーシートを除去して、穴に収容される医薬組成物またはサプリメントを手に取ることが可能となる。側壁の窪みと包装基体の凹部とは、ユーザが要素を指先で掴みカバーシートを除去して、穴に収容される医薬組成物またはサプリメントを利用可能なように、収容ケースの側壁と包装基体との間に中空通路が形成されるように調整されている。側壁の窪みの大きさまたは長さは、カバーシートの把持部のような要素を、迅速かつ容易に掴み持てるように調整されている。
【００３２】
いくつかの実施形態において、１つまたは複数の側壁の窪みと１つまたは複数の包装基体の凹部とは相補的であり、カバーシートの把持部のような要素を迅速かつ容易に掴みもてるように相補的な形状になっている。
【００３３】
いくつかのさらなる実施形態において、２つの枢動可能に接続された半体の少なくとも１つは包装基体用ホルダーである。包装基体用ホルダーは、その側壁に１つまたは複数の窪みを有していてもよく、ユーザの親指と親指以外の指との間で要素を掴むことが可能になっている。
【００３４】
いくつかの実施形態において、２つの枢動可能に接続された半体のうちの少なくとも１つは第１端壁と第２の端壁とを含み、第１の端壁は第２の端壁に向かって延出する少なくとも１つの突起を含んでいる。
【００３５】
少なくとも１つの突起は、少なくとも１つの斜めの外縁に対して相補的であってもよい。薬剤容器は、包装基体が収容ケースの内部に所望の方向で配置されるように、すなわち斜めの外縁と対応する突起とが合致して、包装基体を所望の所定位置に配置されるように調整されている。
【００３６】
いくつかのさらなる実施形態において、２つの枢動可能に接続された半体の他方は蓋である。したがって、少なくとも１つのカバーシートは、少なくとも１つの蓋によって保護される。
【００３７】
蓋は、カバーシートを望ましくない破裂から保護するように、取り外し可能なフィルム、箔、剛性シート、パネル、または中空体であってもよい。少なくとも１つの蓋は、プラスチック、プラスチックラミネート、プラスチック／紙ラミネート、またはプラスチック／金属箔ラミネート、または金属によって構成されていてもよい。包装基体向けの好適なプラスチックとしては、例えば、ＰＶＣ、ポリアミド、ポリオレフィン、ポリエステル、ポリカーボネート、テフロン（登録商標）、およびそれらの組み合わせを含む積層板であるが、これらに限定されるものではない。また、少なくとも１つの蓋は、包装基体の穴に収容される医薬組成物を目視検査することが可能なように、少なくとも一部が可視光の範囲で透明な材料によって構成されていてもよい。
【００３８】
いくつかの実施形態において、少なくとも１つの蓋は、完全に取り外し可能である。他の実施形態において、少なくとも１つの蓋は、収容ケースに配置された少なくとも１つの回転接合部に沿って蓋を回転させることによって開けられるようになっていてもよい。包装基体用ホルダーと蓋とは、枢動可能に連結されてもよい。
【００３９】
いくつかの他の実施形態において、少なくとも１つの蓋は、結合能力を有する細長いプラスチック、布または紙の断片、例えば、テープのような、少なくとも１つの接着部位であるか、またはそれを含む。
【００４０】
これらの実施形態において、包装基体の外縁の１辺に沿って蓋を回転することにより、カバーおよび包装基体を利用することができる。いくつかの実施形態において、少なくとも１つの回転接合部はヒンジであってもよい。いくつかの実施形態において、少なくとも１つの回転接合部は、回転軸ヒンジであってもよい。いくつかの他の実施形態において、少なくとも１つの回転接合部は、逆回転モーメントを生成するばね手段を備えた回転軸ヒンジであってもよい。回転軸ヒンジがあることで、側方に回転することにより蓋を開くことができる。この実施形態では、蓋を反対の側方へ回転させて包装基体用ホルダーの上に重ねることによって、蓋が閉じられる。
【００４１】
いくつかの他の実施形態において、少なくとも１つの蓋は、スリーブのような少なくとも１つの中空体であるか、またはそれを含む。いくつかの実施形態において、少なくとも１つのカバーシートは、異なる被覆方法で保護されていてもよく、例えば、少なくとも１つのカバーシートは、摺動可能な窓／シャッターシステムを介して利用可能になっていても良い。
【００４２】
包装基体は、１つまたは複数の異なる種類の医薬組成物または栄養補助食品を保持することができる。包装基体は、ホルダーとは別に供給されてもよい。これにより、異なる種類および量の医薬組成物またはサプリメントを有する詰め替え包装基体を供給することができる。本発明において、医薬組成物は、任意の生物活性物質を含み得るが、これに限定されない。医薬組成物は、処方もしくは非処方の物質、または、処方もしくは非処方の物質の使用のための賦形剤であってもよい。
【００４３】
医薬組成物は、医薬品または栄養補助食品などのサプリメントであってもよい。医薬組成物は、ワクチンなどの処方または非処方の物質であってもよい。非処方物質は、ビタミンもしくはその誘導体、または無機化合物もしくはその誘導体であってもよい。
【００４４】
本発明において、医薬組成物は、任意の形態、およびそれらを組み合わせた形態をとることができる。このような形態には、例えば、チュアブル錠、迅速溶解錠、発泡錠、再構成粉末、エリキシル剤、液体、液剤、懸濁剤、乳剤、錠剤、多層錠剤、二層錠剤、カプセル剤、軟質ゼラチンカプセル剤、硬質ゼラチンカプセル剤、カプレット、トローチ錠、チュアブルトローチ錠、ビーズ、粉末、顆粒、分散性顆粒、カシェー剤、洗浄剤、座薬、クリーム、局所剤、吸入剤、エアゾール吸入剤、パッチ、粒子吸入剤、インプラント、デポ剤インプラント、糖衣錠、アンプル、摂取可能剤、注射剤、輸液、健康バー、液体、食品、栄養食品、機能性食品、ヨーグルト、ゼラチン、シリアル、シリアルコーティング、動物飼料、またはそれらの組み合わせが含まれるが、これらに限定されるものではない。上記のいずれかの形態の調製は、当業者にとって周知であり、容易に利用可能な技術および方法によって行うことができる。
【００４５】
本発明の第１および他の態様、または実施形態は、それぞれ、他の態様または実施形態のいずれかと組み合わせることが可能である。本発明のこれらの、および他の態様は、以下に記載される実施形態を参照しながら説明される。
【発明の効果】
【００４６】
本発明によれば、１つの使い捨て容器の中に、複数の異なる医薬製剤またはサプリメントを収容することができる。
【図面の簡単な説明】
【００４７】
本発明における薬剤容器は、添付した図面に基づいて、より詳細に説明される。図面は、本発明を実施する１つの手段を示すものであり、添付した特許請求の範囲に含まれる他の可能な実施形態を除外するものとして解釈されるべきではない。
【００４８】
【図１】図１は、本発明のいくつかの実施形態に係る、長辺の向かい合う位置に設けられる２つの開口手段を有する、閉じられた状態の使い捨て薬剤容器の概略的な三次元図を示す。
【図２】図２は、本発明のいくつかの実施形態に係る、医薬組成物用の包装基体が取り除かれた場合の、開けられた状態の使い捨て薬剤容器の概略的な三次元図を示す。
【図３】図３は、図２で示されたように、開けられた状態の使い捨て薬剤容器の図を示す。
【図４】図４は、本発明のいくつかの実施形態に係る、折り畳まれていない状態の包装基体の上面の概略的な三次元図を示す。
【図５】図５は、本発明のいくつかの実施形態に係る、折り畳まれていない状態の包装基体の下面の概略的な三次元図を示す。
【図６】図６は、本発明のいくつかの実施形態に係る、折り畳まれた状態の包装基体の図を示す。
【図７】図７は、本発明のいくつかの実施形態に係る、折り畳まれた状態でホルダーの中に収容される包装基体の概略的な三次元図を示す。
【図７Ａ】図７Ａは、包装基体上にカバーシートの外形が描かれている、図７の容器を示す。
【図７Ｂ】図７Ｂは、異なる医薬組成物が補充されて、透明なカバーシートによって保護されている図７および図７Ａの容器を示す。
【図７Ｃ】図７Ｃは、折り畳まれていない状態の図７Ｂの容器を示す。
【図８】図８は、本発明のいくつかの実施形態に係る、使い捨て薬剤容器の包装基体の概略的な三次元図を示す。
【図９】図９は、本発明のいくつかの実施形態に係る容器を使用して、収容ケースの内容物を利用する方法を示す。
【図１０】図１０は、本発明のいくつかの実施形態に係る、折り畳まれていない状態の包装基体の図を示す。
【図１１】図１１は、本発明のいくつかの実施形態に係る、包装基体を収容している収容ケースの図を示す。
【図１２】図１２は、本発明のいくつかの実施形態に係る、包装基体が収容ケースに挿入されている容器の図を示す。
【発明を実施するための形態】
【００４９】
図１は、閉じられた状態の使い捨て薬剤容器１の概略的な三次元図を示す。容器１は、容器の長辺の向かい合う位置に設けられる開口部２および３（見えていない）を示す。また、図１は、容器の長辺の向かいサイドに設けられる把持部４および５（見えていない）を示す。把持部４、５および開口部２および３は、互いに近接して配置されることが好ましい。把持部は、開口部と大きさおよび形状が同じであってもよく、これにより、どちらの部位が開口部であるかを子供に見分けられないようにして、容器が開けられないようにし、子供に対するある程度の安全性を確保する。一般に、容器および／または収容ケースおよび／または蓋は、ある程度の子供への安全対策を提供するために、同じ大きさおよび形状を有する機能的部位および非機能的部位を含んでいてもよい。
【００５０】
図２は、医薬組成物用の包装基体が取り除かれた場合の、開けられた状態の使い捨て薬剤容器８の概略的な三次元図を示す。収容ケース８は、少なくとも２つの枢動可能に接続された半体、すなわち蓋９およびホルダー１０を備える。両者は、１つまたは複数の窪みを有する側壁を含んでもよい。図２は、窪み６および７を有するホルダー側壁を示す。窪み６および７は、円弧形状を有する。また、窪みは、包装基体の穴を覆うカバーシートに指を入れることが可能な任意の形状、大きさまたは長さを有していてもよい。これにより、窪みは、カバーシートの少なくとも一部に存在する把持部を指で掴むことが可能なように調整されることとなる。
【００５１】
収容ケース８は、硬質高分子のようなプラスチック材料で作られた箱のようなケーシングであってもよい。蓋９は、収容ケースを閉じて、医薬組成物が収容された包装基体を保護する機能を有している。蓋９およびホルダー１０は、開口部を備えており、蓋９をホルダー１０上に折り畳み、および／または押しつける際に、蓋９の部材１２と相互に係合するホルダー１０の部材１１を有している。
【００５２】
図３は、図２で示されたように、開けられた状態の使い捨て薬剤容器８の図を示す。
【００５３】
図４は、折り畳まれていない状態の包装基体１３の上面の概略的な三次元図を示す。包装基体１３は、少なくとも第１部位１４と第２部位１５とを含む。第１部位１４および第２部位１５は、互いに折り畳み、および／または押しつける際に、相互に係合するように形成されている。穴１６および１７は、１つまたは複数の医薬組成物を収容するための大きさと長さを有する。図４では、例えば液体を含有するカプセル状の１つの医薬組成物を収容可能な小穴１７と、タブレット状の複数の医薬組成物を収容可能な大穴１６とを示す。
【００５４】
包装基体１３は、包装基体１３の外縁に凹部１８を有する。凹部は、一方または両方の側縁に配置されていてもよい。包装基体１３は、一般に、熱成型されたプラスチックシートによって形成されている。
【００５５】
図５は、折り畳まれていない状態の包装基体１３の下面の概略的な三次元図を示す。第２部位１５の穴１６および１７は、第１部位１４の他方の穴間に締まり嵌めて係合するように、第１部位１４の他方の穴間のスペース１９に合わせた大きさ、長さおよび形状を有するようになっている。このように、第２部位１５が第１部位１４の上に折り畳まれることによって、剛性構造体が生み出される。
【００５６】
図６は、折り畳まれた状態にある包装基体２０の図を示す。第１部位および第２部位の穴が相補的形状を有するので、第１部位２１を第２部位２２へ容易に折り畳むことが可能である。したがって、第１の包装基体側の穴は、包装基体が折り畳まれた際に、第２の包装基体側の穴に締まり嵌めて係合するように形成されている。２つの相補的形状は、それらの表面が、プラグとソケット、またはキーとロックのように相互に係合するために、組み合わされて結合することが可能となる。プレス嵌めとも呼ばれる締まり嵌めによって、包装基体が、例えば穴の相補的形状によって接触して押し込まれた後の摩擦力のみにより、２つの包装基体間が締結されるようになる。他の実施形態において、穴は、第１および第２の包装基体部を互いに折り畳み、および／または押しつける際に、互いに嵌合し、または締まり嵌めによって係合する突起を有していてもよい。
【００５７】
図６は、包装基体２０は、折り畳まれた状態または折り畳まれていない状態であっても、同じサイドの縁に凹部を有していることを示す。窪みが、ホルダーの長辺の向かい合う両サイドに設けられるのに対し、凹部は包装基体の一方のサイドに設けられることが好ましい。包装基体の上面の穴に収容された医薬組成物が使用されると、包装基体はホルダーから持ち上げられ、１８０°回転されてホルダーに再挿入される。このようにして、包装基体の下面が利用可能になるとともに、ホルダーの反対側に位置する窪みによって包装基体の下面を覆うカバーシートが利用可能になる。
【００５８】
図７は、折り畳まれた状態の包装基体２３がホルダー２５に収容されている容器２４の図を示す。包装基体２３の凹部２６は、ホルダー２５の側壁の窪み２７と一致している。これにより、窪み２７と凹部２６との間に形成された開口部に親指などの指が入ることが可能になる。カバーシート（図示せず）は、包装基体２３に医薬組成物が収容されると、医薬組成物を覆って保護し、包装基体２３の外縁２９に達することで、凹部２６も覆うこととなる。
【００５９】
図７Ａは、包装基体２３上にカバーシート３０の外形が描かれている図７の容器２４を示す。カバーシート３０は、端部２９に達し、凹部２６を覆う。窪み２７および凹部２６を覆うカバーシート３０によって形成される開口部３１は、ユーザの親指と他の指との間で要素３２を掴むことを可能にする。パンチング線３３は、複数の穴３４および２８の開口を可能にするが、他の穴を封止されたままにする。
【００６０】
図７Ｂは、穴の１つが３つの錠剤で充填され、他方の穴が液体を含有するカプセルで充填されている容器２４を示す。錠剤とカプセルは透明なカバーシートで保護されている。
【００６１】
図７Ｃは、折り畳まれていない状態の、容器３９および４０を示す。２つの容器中の３つの錠剤の位置が、充填手順が異なることに応じて異なることがわかる。
【００６２】
図８は、少なくとも１つの穴が多区画的な特徴を有する包装基体３５の概略的な三次元図を示す。包装基体３５は穴３６および３７を有する。穴３７の内部の空間は、部分壁３８のような隔離部３８によって分離されている。これにより、単一の穴内で、例えば錠剤のような異なる医薬組成物の間を、物理的に分離することが保証される。分離壁３８は、穴の深さよりも低いが、最も高い寸法を有する。したがって、包装基体表面とカバーシートとの間に必要とされる密封点の数が、複数の穴を有する包装基体と比較して低減されることが可能となる。多区画的な穴を有する包装基体は、医薬組成物間の物理的接触が避けられたままの方法で保存されている複数の医薬組成物を容易に利用できるという利点を有する。
【００６３】
図９は、本発明のいくつかの実施形態における、容器を使用して、収容ケースの内容物を利用する方法を示す。薬剤容器を開くために、解錠ボタンのような開口手段が押されることで、収容ケースが開くようにしてもよい。包装基体が取り除かれて、そして、細長い一片を取り除くことによって錠剤を手に取ることが可能となる。これは、ホルダーがその側壁に沿って窪みを有していない場合に利便性がある。本発明のいくつかの他の実施形態によれば、窪みがあることにより、包装基体がホルダー内に収容されているまま細長い一片部分またはカバーシートの一部を直接取り除くことによって、穴の内容物を直接利用することが可能となる。
【００６４】
図１０は、本発明のいくつかの実施形態における、折り畳まれていない状態の包装基体の図を示す。
【００６５】
図１１は、本発明のいくつかの実施形態における、包装基体を保持するための収容ケースの図を示す。図１１は、２つの枢動可能に接続された収容ケースの半体５０のうち一方が、第２の端壁に向かって延出する２つの突起５２を有する第１の端壁５１を含んでいることを示す。
【００６６】
図１２は、本発明のいくつかの実施形態における、包装基体が収容ケースに挿入されている容器の図を示す。
【００６７】
図１２は、突起５２が斜めの外縁５３と相補的になり得ることを示す。したがって、薬剤容器は、包装基体が折り畳まれたときに収容ケースの内部に所望の方向で配置されるように、すなわち斜めの外縁５３と対応する突起５２とが合致して包装基体５４を所望の所定位置に配置されるように調整される。これにより、医薬組成物またはサプリメントを収容する包装基体を所望の方向のみに配置することができる。したがって、収容ケースの側壁の窪みと、包装基体の外縁の凹部とを完全に一致させることを可能にするという利点を有する。このようにして、ユーザは、カバーシートの要素を容易に指で掴んでカバーシートを取り除くことができ、医薬組成物またはサプリメントを収容する穴を利用することができる。
【００６８】
本発明を特定の実施形態に基づいて説明してきたが、本発明は提示された例に決して限定されるものとして解釈されるべきものではない。本発明の範囲は、添付する特許請求の範囲によって定められる。特許請求の範囲における、「含む（comprisingまたはcomprises）」という用語は、他の可能な要素またはステップを排除するものではない。また、「１の（aまたはan）」のような言及は、複数を排除するものとして解釈されるべきでない。また、図面に示された各部位に関する、特許請求の範囲における符号の引用も、本発明の範囲を限定するものとして解釈してはならない。さらに、異なる請求項に記載されたそれぞれの特徴は、できる限り有利に組み合わせられてもよく、異なる請求項でこれらの特徴を言及することは、特徴を組み合わせることが不可能であって有利であるということを、排除しない。
【符号の説明】
【００６９】
１，８  薬剤容器
２，３  開口部
４，５  把持部
６，７，２７  窪み
８  収容ケース
９  蓋
１０，２５  ホルダー
１１  ホルダーの部材
１２  蓋の部材
１３，２０，２３，３５，５４  包装基体
１４，２２  第２部位
１５，２１  第１部位
１６，１７，２８，３４，３６，３７  穴
１８，２６  凹部
１９  穴間のスペース
２４，３９，４０  容器
２９  包装基体の外縁
３０  カバーシート
３１  開口部
３２  要素
３３  パンチング線
３８  部分壁、隔離部、分離壁
５０  収容ケースの半体
５１  第１の端壁
５２  突起
５３  斜めの外縁
【図１】
2017532172.tif 000003
【図２】
2017532172.tif 000004
【図３】
2017532172.tif 000005
【図４】
2017532172.tif 000006
【図５】
2017532172.tif 000007
【図６】
2017532172.tif 000008
【図７】
2017532172.tif 000009
【図７Ａ】
2017532172.tif 000010
【図７Ｂ】
2017532172.tif 000011
【図７Ｃ】
2017532172.tif 000012
【図８】
2017532172.tif 000013
【図９】
2017532172.tif 000014
【図１０】
2017532172.tif 000015
【図１１】
2017532172.tif 000016
【図１２】
2017532172.tif 000017
【手続補正書】
【提出日】平成28年10月10日(2016.10.10)
【手続補正１】
【補正対象書類名】特許請求の範囲
【補正対象項目名】全文
【補正方法】変更
【補正の内容】
【特許請求の範囲】
【請求項１】
医薬組成物用包装基体（１３，２０，２３，３５，５４）と前記医薬組成物用包装基体を収容する収容ケース（８）とを含む薬剤容器（１，８）であって、
前記包装基体は、医薬組成物を収容するための少なくとも２つの穴と、前記少なくとも２つの穴（１６，１７，２８，３４，３６，３７）を覆う少なくとも１つのカバーシートとを含み、
前記カバーシート（３０）は要素（４，５，３２）を含み、
前記包装基体は第１部位（１５，２１）および第２部位（１４，２２）を含み、
前記第１部位および第２部位は、互いに折り畳み、および／または押しつける際に、相互に係合するように調整されて、前記第２部位が前記第１部位に係合されて剛性構造を作り出すとともに、前記第１部位および／または第２部位は、少なくとも１つの斜めの外縁（５３）を有し、
前記収容ケースは、少なくとも２つの枢動可能に接続された半体（９，１０，２５，５０）を含み、
前記２つの枢動可能に接続された半体の少なくとも１つは、１つまたは複数の窪み（６，７，２７）を有する側壁を含み、
前記包装基体が、前記２つの枢動可能に接続された半体の少なくとも１つに収容されている場合に、前記１つまたは複数の窪みは、ユーザの親指と他の指との間で前記要素を掴むことを可能にし、
前記２つの枢動可能に接続された半体の少なくとも１つは、第１の端壁（５１）と第２の端壁とを含み、第１の端壁は、前記第２の端壁に向かって延出する少なくとも１つの突起（５２）を含み、
前記少なくとも１つの突起は、前記少なくとも１つの斜めの外縁と相補的である、前記薬剤容器。
【請求項２】
前記側壁の１つまたは複数の窪みと、前記包装基体の１つまたは複数の凹部（１８，２６）とが一致している、請求項１に記載の薬剤容器。
【請求項３】
前記包装基体が前記２つの枢動可能に接続された半体の前記少なくとも１つに収容される場合に、１つまたは複数の前記側壁が前記包装基体を取り囲む、請求項１または請求項２に記載の薬剤容器。
【請求項４】
前記２つの枢動可能に接続された半体の少なくとも１つが、包装基体用ホルダー（１０，２５）である、請求項１から請求項３のいずれかに記載の薬剤容器。
【請求項５】
前記２つの枢動可能に接続された半体の他方が蓋（９）である、請求項１から請求項４のいずれかに記載の薬剤容器。
【請求項６】
前記医薬組成物用包装基体は、医薬組成物を収容するための少なくとも２つの穴と、前記少なくとも２つの穴を覆う少なくとも１つのカバーシートとを含み、前記カバーシートは要素を含む、請求項１から請求項５のいずれかに記載の薬剤容器。
【請求項７】
前記包装基体が１つまたは複数の凹部を含む、請求項１から請求項６のいずれかに記載の薬剤容器。
【請求項８】
前記カバーシートが前記１つまたは複数の凹部を覆う、請求項１から請求項７のいずれかに記載の薬剤容器。
【請求項９】
前記要素が前記１つまたは複数の凹部を覆う、請求項１から請求項８のいずれかに記載の薬剤容器。
【請求項１０】
前記凹部が、前記包装基体の外縁（２９）に設けられる、請求項１から請求項９のいずれかに記載の薬剤容器。
【請求項１１】
前記凹部が、前記包装基体の２辺以上の外縁に設けられる、請求項１から請求項１０のいずれかに記載の薬剤容器。
【請求項１２】
前記要素が指先で掴むことが可能な部位を含む、請求項１から請求項１１のいずれかに記載の薬剤容器。
【請求項１３】
前記要素が切断部を含む、請求項１から請求項１２のいずれかに記載の薬剤容器。
【請求項１４】
前記要素が剥離部を含む、請求項１から請求項１３のいずれかに記載の薬剤容器。
【請求項１５】
前記要素が断片である、請求項１から請求項１４のいずれかに記載の薬剤容器。
【請求項１６】
前記要素が細長い一片である、請求項１から請求項１５のいずれかに記載の薬剤容器。
【請求項１７】
前記要素が、より良好に把持可能な突出部を有するフラップである、請求項１から請求項１６のいずれかに記載の薬剤容器。
【国際調査報告】
2017532172.tif 000018
2017532172.tif 000019
2017532172.tif 000020